(57)【要約】【課題】管制卓の操作性を向上し、航空管制業務の負担を軽減すること。【解決手段】本実施形態に係る航空管制システムは、航空管制用の複数の通信回線のそれぞれを示す複数のボタンを複数のブロックに分けて表示し、前記ブロック毎に選択操作を受け付ける操作表示切換部と、前記操作表示切換部で選択されたブロックに含まれる複数のボタンのそれぞれを押下可能に表示する操作表示部とを有するタッチ操作器１２−１〜１２−４と、前記操作表示部のボタンが押下された場合に、当該ボタンに対応する通信回線を介してデータを伝送する伝送ユニット１１−１〜１１−４とを具備する。【選択図】      図２
2014164703.tif 000002
【特許請求の範囲】
【請求項１】
航空管制用の複数の通信回線のそれぞれを示す複数のボタンを複数のブロックに分けて表示し、前記ブロック毎に選択操作を受け付ける操作表示切換部と、前記操作表示切換部で選択されたブロックに含まれる複数のボタンのそれぞれを押下可能に表示する操作表示部とを有するタッチ操作手段と、
前記操作表示部のボタンが押下された場合に、当該ボタンに対応する通信回線を介してデータを伝送する伝送手段と
を具備することを特徴とする航空管制システム。
【請求項２】
前記操作表示切換部及び前記操作表示部に含まれるボタンの前景が灰色系統に、該ボタンに表示する文字が白色系統に、該ボタン以外の領域が黒系統に配色してなることを特徴とする請求項１に記載の航空管制システム。
【請求項３】
前記タッチ操作手段は、前記通信回線の使用状況に応じて前記操作表示切換部及び前記操作表示部に含まれるボタンの表示態様を変化させることを特徴とする請求項１又は２に記載の航空管制システム。
【請求項４】
航空管制用の複数の通信回線のそれぞれを示す複数のボタンを複数のブロックに分けて表示し、前記ブロック毎に選択を受け付ける操作表示切換部と、
前記操作表示切換部で選択されたブロックに含まれる複数のボタンのそれぞれを押下可能に表示する操作表示部とを
を具備することを特徴とする管制卓用操作パネル。
【請求項５】
前記操作表示切換部及び前記操作表示部に含まれるボタンの前景が灰色系統に、該ボタンに表示する文字が白色系統に、該ボタン以外の領域が黒系統に配色してなることを特徴とする請求項４に記載の管制卓用操作パネル。
【請求項６】
前記タッチ操作手段は、前記通信回線の使用状況に応じて前記操作表示切換部及び前記操作表示部に含まれるボタンの表示態様を変化させることを特徴とする請求項４又は５に記載の管制卓用操作パネル。
【発明の詳細な説明】
【技術分野】
【０００１】
この発明の実施形態は、航空管制に用いられる航空管制システム及び管制卓用操作パネルに関する。
【背景技術】
【０００２】
管制塔では、航空機の離着陸が安全に行われるように、管制官から航空機のパイロットに対し、離着陸に関する許可や指示を音声通話により行っている。従来の航空管制システムでは、管制卓に設けられた物理的なスイッチを切り換えることにより、航空機との間で使用する通信回線の選択を行っていた。
【先行技術文献】
【特許文献】
【０００３】
【特許文献１】特開２００５−１８６１９号公報
【発明の概要】
【発明が解決しようとする課題】
【０００４】
ところが、航空管制に使用する通信回線の数が増大すると、管制卓に多数のスイッチを配置する必要があり、スイッチを配置するスペースの確保と、操作性の低下の問題があった。
本実施形態の目的は、管制卓の操作性を向上し、航空管制業務の負担を軽減する航空管制システム及び管制卓用操作パネルを提供することにある。
【課題を解決するための手段】
【０００５】
上記目的を達成するために、この発明に係る航空管制システムは、航空管制用の複数の通信回線のそれぞれを示す複数のボタンを複数のブロックに分けて表示し、前記ブロック毎に選択操作を受け付ける操作表示切換部と、前記操作表示切換部で選択されたブロックに含まれる複数のボタンのそれぞれを押下可能に表示する操作表示部とを有するタッチ操作手段と、前記操作表示部のボタンが押下された場合に、当該ボタンに対応する通信回線を介してデータを伝送する伝送手段とを具備する。
【図面の簡単な説明】
【０００６】
【図１】本実施形態に係る航空管制システムの全体図。
【図２】図１の航空管制システムの構成を示すブロック図。
【図３】管制卓のタッチ操作器の画面遷移図。
【図４】無線送信操作を示すフローチャート。
【図５】無線受信操作を示すフローチャート。
【図６】電話発信操作を示すフローチャート。
【図７】電話着信操作を示すフローチャート。
【発明を実施するための形態】
【０００７】
以下、図面を参照しながら本実施形態に係る航空管制システムについて詳細に説明する。  
図１は、本実施形態に係る航空管制システムの全体図である。図２は、図１の航空管制システムの構成を示すブロック図である。  
航空管制システムは、飛行場の管制塔などに設けられ、管制卓１−１〜１−４、制御装置２、電話機３、及び無線機４を備える。管制官は、各管制卓を用いて航空機パイロット等との間で音声通話するための通信回線（例えば、電話回線又は無線回線）を選択し、航空機の離着陸に関する許可や指示等を行う。図１及び図２に示すシステムでは、４つの管制卓１−１〜１−４を制御装置２で制御する構成であるが、管制卓の数や通信回線の数や種類は任意に選択できる。
【０００８】
管制卓１−１は、伝送ユニット１１−１、タッチ操作器１２−１、マイク１３−１、及びスピーカ１４−１を有し、他の管制卓１−２〜１−４についても、管制卓１−１と同様に構成される。なお、管制卓１−１〜１−４、伝送ユニット１１−１〜１１−４、タッチ操作器１２−１〜１２−４、マイク１３−１〜１３−４、及びスピーカ１４−１〜１４−４のそれぞれを区別する必要が無い場合は、管制卓１、伝送ユニット１１、タッチ操作器１２、マイク１３、及びスピーカ１４と総称する。
【０００９】
伝送ユニット１１は、管制官がマイク１３から入力した音声データを制御装置２に送信し、制御装置２から受信される航空機パイロット等の音声データをスピーカから出力する。タッチ操作器１２の画面には、制御装置２から伝送ユニット１１を介して受信される、音声通話に使用される回線等に関する表示情報が表示され、当該画面上で管制官によりタッチ入力される操作情報が伝送ユニット１１を介して制御装置２に送信される。
【００１０】
制御装置２は、伝送ユニット２１−１，２１−２（以下、伝送ユニット２１と総称する）、音声交換ユニット２２、電話インタフェースユニット２３、及び無線インタフェースユニット２４を有する。伝送ユニット２１は、管制卓１との間で音声データ、操作情報及び表示情報の送受信を行う。管制卓１から入力される管制官の音声データは、伝送ユニット２１で受信され、音声交換ユニット２２は、受信された音声データを電話回線の場合は電話インタフェースユニット２３から電話機３に出力し、無線回線の場合は無線インタフェースユニット２４から無線機４に出力する。また、音声交換ユニット２２は、電話機３に着信した音声データを電話インタフェースユニット２３から受信し、無線機４で受信した音声データを無線インタフェースユニット２４から受信し、受信した音声データ及びその受信に使用される回線等に関する表示情報を伝送ユニット２１に送信する。
【００１１】
図３に、管制卓１のタッチ操作器１２の画面遷移図を示す。図３に示すように、タッチ操作器１２の画面は、無線操作画面３０１と、電話操作画面３０２と、無線・電話操作画面３０３とのいずれかに遷移する。
各画面の上部には、気象状態、使用する滑走路方向、気圧、温度、及び現在時刻等を含む管制情報が表示される。例えば、気象状態は、視界が良好（ＶＭＣ：Visual Meteorological Condition）であることを緑色で示している。
【００１２】
各画面の管制情報の下方には、操作表示切換部３１と、操作表示部３２とが設けられる。操作表示切換部３１は、航空管制用の複数の通信回線のそれぞれを示す１０個乃至１２個のボタンを４つのブロックに分けて表示し、ブロック毎に選択操作を受け付ける。操作表示部３２は、操作表示切換部３１で選択されたブロックに含まれる１０個乃至１２個のボタンのそれぞれを指で押下可能な大きさで表示する。
【００１３】
例えば、図３に示すように、無線操作画面３０１の操作表示切換部３１に表示される左上のブロックを押下することで、選択されたブロックに含まれる１２個の「関連」ボタンを操作表示部３２に表示し、電話操作画面３０２に切り換える。また、電話操作画面３０２の操作表示切換部３１に表示される右上のブロックを押下することで、選択されたブロックに対応する１０個の「無線周波数」ボタンを操作表示部３２に表示し、無線操作画面３０１に切り換えることができる。このように各画面上の操作表示切換部３１には、すべての通信回線を示すボタンが同じ位置に常時表示され、ブロック毎に操作表示部３２に表示するボタンのみを切り換えるようにすることで、限られた画面領域においても、統一した操作で容易に通信回線の選択を行うことができる。
【００１４】
また、通信回線の使用状況に応じて操作表示切替部３１及び操作表示部３２に含まれるボタンの表示態様が変化する。例えば、無線操作画面３０１において航空機から１３９．８０の無線周波数の電波の受信があると、当該「ＲＸ」ボタンが緑色に点滅し、「ＲＸ」ボタンを押下すると緑色に点灯しデータの受信を行う。また、無線操作画面３０１において管制官が１３９．８０の無線周波数の「ＴＸ／ＲＸ」ボタンを押下すると、当該「ＴＸ／ＲＸ」ボタンが橙色に点灯し、データの送信があると「ＴＸ／ＲＸ」ボタンが赤色に点滅する。また、電話操作画面３０２において、「ＧＣＡ」ボタンを押下して発信すると「ＧＣＡ」ボタンが橙色に点灯すると共に、「Ｌ／Ｌ」表示が「ＣＡＬＬ」に変わり橙色に点灯する。ＧＣＡの着信があると「Ｌ／Ｌ」表示が「ＣＡＬＬ」に変わり橙色に点滅する。通話中は「ＧＣＡ」ボタンが緑色に点灯すると共に、「ＣＡＬＬ」表示が「ＴＡＬＫ」に変わり緑色に点灯する。このようにボタンの表示態様を変化させることで、管制官は使用中の回線を容易に把握することができる。
【００１５】
さらに、各画面の右下には、「ＭＥＮＵ」ボタンが配置され、例えば、無線操作画面３０１において「ＭＥＮＵ」ボタンを押下すると、無線操作画面３０３に示すように「同時表示」ボタン、「メンテナンス」ボタン、及び「Ｃａｎｃｅｌ」ボタンが表示される。「同時表示」ボタンを押下すると、操作表示切換部３１に表示される左上と右上のブロックのそれぞれ上段に含まれる６個の「無線周波数」ボタンと５個の「関連」ボタンとが同時に表示され、無線・電話操作画面３０４に切り換わる。無線・電話操作画面３０４では、ブロック選択は、操作表示切換部３１に表示されるボタンを横一列毎に選択することができる。
【００１６】
なお、操作表示切換部３１及び操作表示部３２に含まれるボタンの前景は灰色系統に、該ボタンに表示する文字は白色系統に、該ボタン以外の領域は黒系統に配色される。このような色彩を用いて配色することで、日光等の急激な明るさの影響を受けずに、昼夜を問わず同じ見え方にすることができる。
【００１７】
次に、このように構成される航空管制システムの動作について説明する。  
［無線送信操作］  
図４は、無線送信操作を示すフローチャートである。管制官は、管制卓１−１で管制業務を行うものとし、タッチ操作器１２−１には無線操作画面３０１が表示されているものする。
【００１８】
タッチ操作器１２−１の無線操作画面３０１において、管制官が「ＴＸ／ＲＸ」ボタンを押下すると（ステップＳ１ａ）、タッチ操作器１２−１は、押下された「ＴＸ／ＲＸ」ボタンを橙色に点灯させ（ステップＳ１ｂ）、当該ボタンの押下（ＴＸ／ＲＸのＯＮ）を示す操作情報を伝送ユニット１１−１を介して制御装置２に送信する。管制官が管制卓１−１に設けられる無線機４のプレストークスイッチ（図示省略）を押下すると（ステップＳ１ｃ）、各タッチ操作器１２−１〜１２−４は、制御装置２から「送信あり」を示す表示情報を各伝送ユニット１１−１〜１１−４を介して受信し、タッチ操作器１２−１は当該「ＴＸ／ＲＸ」ボタンを赤色に点灯させ（ステップＳ１ｄ）、他のタッチ操作器１２−２〜１２−４は当該「ＴＸ／ＲＸ」ボタンの枠を赤色に点滅させる（ステップＳ１ｅ）。マイク１３−１に入力された音声データが伝送ユニット１１−１を介して制御装置２に送信される（ステップＳ１ｆ）。ステップＳ１ｂ，Ｓ１ｄのように選択操作中のタッチ操作器１２−１のみならず、ステップＳ１ｅのように他のタッチ操作器１２−２〜１２−４においても、通信回線の使用状況に応じて操作表示部３２及び操作表示切替部３１に含まれるボタンの表示態様が変化するため、使用中の通信回線を容易に把握することができる。
【００１９】
管制官が無線機４のプレストークスイッチを離すと（ステップＳ１ｇ）、各タッチ操作器１２−１〜１２−４は、制御装置２から「送信なし」を示す表示情報を各伝送ユニット１１−１〜１１−４を介して受信し、タッチ操作器１２−１は当該「ＴＸ／ＲＸ」ボタンを橙色に点灯させ（ステップＳ１ｈ）、他のタッチ操作器１２−２〜１２−４は当該ＴＸ／ＲＸの枠を消灯する（ステップＳ１ｉ）。これにより、音声データの送信が終了する（ステップＳ１ｊ）。再度、管制官が当該「ＴＸ／ＲＸ」ボタンを押下すると（ステップＳ１ｋ）、タッチ操作器１２−１は、押下された「ＴＸ／ＲＸ」ボタンを消灯し（ステップＳ１ｌ）、当該ボタンの押下（ＴＸ／ＲＸのＯＦＦ）を示す操作情報を伝送ユニット１１−１を介して制御装置２に送信する。
【００２０】
［無線受信操作］  
図５は、無線受信操作を示すフローチャートである。管制官は、管制卓１−１で管制業務を行うものとし、タッチ操作器１２−１には無線操作画面３０１が表示されているものする。
無線機４が航空機からの電波を受信すると（ステップＳ２ａ）、各タッチ操作器１２−１〜１２−４は、制御装置２から「受信あり」を示す表示情報を各伝送ユニット１１−１〜１１−４を介して受信し、受信があった無線回線の「ＲＸ」ボタンの枠を緑色に点滅させる（ステップＳ２ｂ，ステップＳ２ｃ）。管制官がタッチ操作器１２−１の当該「ＲＸ」ボタンを押下すると（ステップＳ２ｄ）、当該「ＲＸ」ボタンが緑色に点灯し、受信した音声がスピーカ１４−１から出力される（ステップＳ２ｆ）。
【００２１】
管制官が「ＳＰ／ＨＳ」ボタンを押下すると（ステップＳ２ｇ）、タッチ操作器１２−１の「ＳＰ／ＨＳ」ボタンの「ＳＰ」が消灯し、「ＨＳ」が緑色に点灯し（ステップＳ２ｈ）、ヘッドセット（図示省略）から音声が出力される（ステップＳ２ｉ）。再度、管制官が「ＳＰ／ＨＳ」ボタンを押下すると（ステップＳ２ｊ）、「ＳＰ／ＨＳ」ボタンの「ＳＰ」と「ＨＳ」とが緑色に点灯し（ステップＳ２ｋ）、スピーカ１４−１とヘッドセットの双方から音声が出力される。再度、管制官が「ＳＰ／ＨＳ」ボタンを押下すると（ステップＳ２ｍ）、「ＳＰ／ＨＳ」ボタンの「ＨＳ」が消灯し、「ＳＰ」が緑色に点灯し（ステップＳ２ｎ）、スピーカ１４−１から音声が出力される（ステップＳ２ｏ）。
【００２２】
管制官がタッチ操作器１２−１において、受信があった無線回線の「ＲＸ」ボタンを再度押下すると（ステップＳ２ｐ）、当該「ＲＸ」ボタンの枠は緑色に点滅し（ステップＳ２ｑ）、音声データの受信は終了する（ステップＳ２ｒ）。その後、航空機からの電波の受信がない場合は（ステップＳ２ｓ）、タッチ操作器１２−１の当該「ＲＸ」ボタンが消灯となり（ステップＳ２ｔ）、他のタッチ操作器１２−２〜１２−４の当該「ＲＸ」ボタンも消灯となる（ステップＳ２ｕ）。
【００２３】
［電話発信操作］  
図６は、電話発信操作を示すフローチャートである。管制官は、専用電話回線を有する管制卓１−１で管制業務を行うものとし、タッチ操作器１２−１には電話操作画面３０２が表示されているものする。
タッチ操作器１２−１の電話操作画面３０２において、管制官がＡＴＣ等の「関連」ボタンをタッチすると（ステップＳ３ａ）、タッチ操作器１２−１は、タッチされた「関連」ボタンを橙色に点灯させると共に、「Ｌ／Ｌ」表示を「ＣＡＬＬ」に変え、「ＣＡＬＬ」表示を橙色に点灯させ（ステップＳ３ｂ）、当該ボタンの押下（ＣＡＬＬ）を示す操作情報を伝送ユニット１１−１を介して制御装置２に送信する。他の管制卓１−２〜１−４のタッチ操作器１２−２〜１２−４は、制御装置２から「ＣＡＬＬ」を示す表示情報を各伝送ユニット１２−２〜１１−４を介して受信し、タッチ操作器１２−２は当該「関連」ボタンの「Ｌ／Ｌ」表示を「ＣＡＬＬ」に変え、「ＣＡＬＬ」表示を橙色に点灯させる（ステップＳ３ｃ）。通信相手との回線交換作業が完了すると、電話機３のリングバックトーンがスピーカ１４−１で鳴る（ステップＳ３ｄ）。
【００２４】
管制卓１−１からの発信により、通話相手側では呼出しベルが鳴り（ステップＳ３ｅ）、これに対し応答操作が行われると（ステップＳ３ｆ）、呼び出しベルが停止する（ステップＳ３ｇ）。電話機３から通話相手側の応答操作があったことを受けると、管制卓１−１では電話機３のリングバックトーンが停止する（ステップＳ３ｈ）。そして、各タッチ操作器１２−１〜１２−４は、制御装置２から「ＴＡＬＫ」を示す表示情報を各伝送ユニット１１−１〜１１−４を介して受信する。
【００２５】
タッチ操作器１２−１は、当該「関連」ボタンを緑色に点灯させると共に、「ＣＡＬＬ」表示を「ＴＡＬＫ」に変え、「ＴＡＬＫ」表示を緑色に点灯させる（ステップＳ３ｉ）。他のタッチ操作器１２−２〜１２−４は、「ＣＡＬＬ」表示を「ＴＡＬＫ」に変え、「ＴＡＬＫ」表示を緑色に点灯させる（ステップＳ３ｊ）。
【００２６】
この状態で相互に通話が行われ（ステップＳ３ｋ）、再度、管制官がタッチ操作器１２−１の当該「関連」ボタンを押下すると（ステップＳ３ｌ）、タッチ操作器１２−１は、当該「関連」ボタンを消灯し、「ＴＡＬＫ」表示を「Ｌ／Ｌ」に変え、「Ｌ／Ｌ」表示を消灯させ（ステップＳ３ｍ）、当該ボタンの押下（Ｌ／Ｌ）を示す操作情報を伝送ユニット１１−１を介して制御装置２に送信する。他のタッチ操作器１２−２〜１２−４は、制御装置２から「Ｌ／Ｌ」を示す表示情報を各伝送ユニット１２−２〜１１−４を介して受信し、各タッチ操作器１２−２〜１２−４は当該「関連」ボタンの「ＴＡＬＫ」表示を「Ｌ／Ｌ」に変え、「Ｌ／Ｌ」表示を消灯させる（ステップＳ３ｎ）。
【００２７】
［電話着信操作］  
図７は、電話着信操作を示すフローチャートである。管制官は、専用電話回線を有する管制卓１−１で管制業務を行うものとし、タッチ操作器１２−１には電話操作画面３０２が表示されているものする。
通話相手が管制卓１を呼出しするために共電式回線用電話機のハンドセットを上げると（ステップＳ４ａ）、通話相手側でリングバックトーンが鳴る（ステップＳ４ｆ）。通話相手から電話機３に着信があると、各タッチ操作器１２−１〜１２−４は、制御装置２から「ＣＡＬＬ」を示す表示情報を各伝送ユニット１１−１〜１１−４を介して受信する。各タッチ操作器１２−１〜１２−４は、着信があった「関連」ボタンの「Ｌ／Ｌ」表示を「ＣＡＬＬ」に変え、「ＣＡＬＬ」表示を橙色に点滅させ（ステップＳ４ｂ，Ｓ４ｄ）、ブザー（図示省略）を鳴らす（ステップＳ４ｃ，Ｓ４ｅ）。
【００２８】
管制官が管制卓１−１のタッチ操作器１２−１において、着信があった「関連」ボタンを押下すると（ステップＳ４ｇ）、タッチ操作器１２−１は、当該ボタンの押下（ＴＡＬＫ）を示す操作情報を伝送ユニット１１−１を介して制御装置２に送信する。通信相手側では、リングバックトーンが停止する（ステップＳ４ｈ）。各タッチ操作器１２−１〜１２−２は、制御装置２から「ＴＡＬＫ」を示す表示情報を各伝送ユニット１１−１〜１１−４を介して受信する。
【００２９】
そうすると、タッチ操作器１２−１は、当該「関連」ボタンを緑色に点灯させ、「ＣＡＬＬ」表示を「ＴＡＬＫ」に変え、「ＴＡＬＫ」表示を緑色に点灯させ（ステップＳ４ｉ）、ブザーを停止する（ステップＳ４ｊ）。また、他の管制卓１−２〜１−４のタッチ操作器１２−２〜１２−４は、「ＣＡＬＬ」表示を「ＴＡＬＫ」に変え、「ＴＡＬＫ」表示を橙色に点灯させ（ステップＳ４ｋ）、ブザーを停止する（ステップＳ４ｌ）。
【００３０】
この状態で相互に通話が行われ（ステップＳ４ｍ）、再度、管制官がタッチ操作器１２−１の当該「関連」ボタンを押下すると（ステップＳ４ｎ）、タッチ操作器１２−１は、当該「関連」ボタンを消灯し、「ＴＡＬＫ」表示を「Ｌ／Ｌ」に変え、「Ｌ／Ｌ」表示を消灯させ（ステップＳ４ｏ）、当該ボタンの押下（Ｌ／Ｌ）を示す操作情報を伝送ユニット１１−１を介して制御装置２に送信する。他の管制卓１−２〜１−４のタッチ操作器１２−２〜１２−４は、制御装置２から「Ｌ／Ｌ」を示す表示情報を各伝送ユニット１２−２〜１１−４を介して受信し、各タッチ操作器１２−２〜１２−４は、当該「関連」ボタンの「ＴＡＬＫ」表示を「Ｌ／Ｌ」に変え、「Ｌ／Ｌ」表示を消灯させる（ステップＳ４ｐ）。
【００３１】
以上述べたように、本実施形態では、管制卓１のタッチ操作器１２に、航空管制用の複数の通信回線のそれぞれを示す複数のボタンを複数のブロックに分けて表示し、ブロック毎に選択操作を受け付ける操作表示切換部３１と、操作表示切換部３１で選択されたブロックに含まれる複数のボタンのそれぞれを押下可能に表示する操作表示部３２とを設け、操作表示部３２のボタンが押下された場合に、当該ボタンに対応する通信回線を介してデータを伝送するものである。
【００３２】
このようにタッチ操作器１２の画面を構成することで、各画面上の操作表示切換部３１には、すべての通信回線を示すボタンが同じ位置に常時表示され、ブロック毎に操作表示部３２に表示するボタンのみを切り換えるようにすることで、統一した操作で容易に通信回線の選択を行うことができる。また、通信回線の使用状況に応じて操作表示部３２に含まれるボタンの表示態様が変化するため、使用中の回線を容易に把握することができる。したがって、上記実施形態によれば、管制卓の操作性を向上し、航空管制業務の負担を軽減する航空管制システムを実現できる。
【００３３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００３４】
１−１〜１−４…管制卓、２…制御装置、３…電話機、４…無線機、１１−１〜１１−４…伝送ユニット、１２−１〜１２−４…タッチ操作器、１３−１〜１３−４…マイク、１４−１〜１４−４…スピーカ、２１−１，２１−２…伝送ユニット、２２…音声交換ユニット、２３…電話インタフェースユニット、２４…無線インタフェースユニット、３０１…無線操作画面、３０２…電話操作画面、３０１…無線・電話操作画面、３１…操作表示切換部、３２…操作表示部。
【図１】
2014164703.tif 000003
【図２】
2014164703.tif 000004
【図３】
2014164703.tif 000005
【図４】
2014164703.tif 000006
【図５】
2014164703.tif 000007
【図６】
2014164703.tif 000008
【図７】
2014164703.tif 000009